(57)【要約】  【課題】  接続端子が外部に露出しないように、電気ユニットの離脱操作に応じて接続端子を覆って保護する蓋体を有し、電気ユニットを装着しない限り蓋体による保護を解除できない構成にして、感電を防止できる電気機器及び電気ユニットを提供する。また、感電を防止できるプロジェクタ及びランプユニットを提供する。  【解決手段】  ウォームホイール15の回転に応じて接続端子３を覆う位置及び覆わない位置の間を移動可能にしてある蓋体14及びウォームホール15に噛合するウォーム16を備え、ランプユニット50の着脱動作時のみラック歯53ａがウォーム16を回転する構成にする。ウォーム16の回転によりウォームホイール15を回転させることはできるが、ウォームホイール15の回転によりウォーム16を回転させることはできないため、ランプユニット50を離脱し、蓋体14が接続端子３を覆った状態では、接続端子３に触れることができない。【選択図】      図３
2006284848.tif 000002
【特許請求の範囲】
【請求項１】
着脱可能な電気ユニットと、該電気ユニットを電気的に接続するための接続端子と、前記電気ユニットを離脱させた場合に前記接続端子を覆うための蓋体とを備える電気機器において、
ウォーム及び該ウォームと噛合するウォームホイールと、
前記電気ユニットの着脱操作に応じて前記ウォームを回転させる回転手段とを備え、
前記蓋体は、前記ウォームホイールの回転に応じて移動可能であり、前記電気ユニットの離脱操作時に前記接続端子を覆う位置に移動し、装着操作時に前記接続端子を覆わない位置に移動するようにしてあること
を特徴とする電気機器。
【請求項２】
前記回転手段は、
前記ウォームと同軸に連結され、前記ウォームと一体で回転する歯車と、
前記電気ユニットに形成され、前記電気ユニットの着脱操作に応じて前記歯車と噛合し、前記歯車を回転させて前記ウォームを回転させるラック歯と
を備える請求項１に記載の電気機器。
【請求項３】
接続端子及び該接続端子を保護する保護手段を有する電気機器本体に着脱可能に装着され、前記接続端子に電気的に接続される電気ユニットにおいて、
前記電気機器本体への装着操作に応じて前記保護手段による前記接続端子の保護を解除させ、離脱操作に応じて前記接続端子を保護させるための保護設定解除手段を備えることを特徴とする電気ユニット。
【請求項４】
前記保護手段は、前記接続端子の保護及び保護の解除動作を行うための歯車機構を有しており、
前記保護設定解除手段は、前記歯車機構の歯車に噛合し、着脱操作に応じて前記歯車機構を動作させるラック歯を備える請求項３に記載の電気ユニット。
【請求項５】
着脱可能なランプユニットと、該ランプユニットを電気的に接続するための接続端子と、前記ランプユニットを離脱させた場合に前記接続端子を覆うための蓋体とを備えるプロジェクタにおいて、
ウォーム及び該ウォームと噛合するウォームホイールと、
前記ランプユニットの着脱操作に応じて前記ウォームを回転させる回転手段とを備え、
前記蓋体は、前記ウォームホイールの回転に応じて移動可能であり、前記ランプユニットの離脱操作時に前記接続端子を覆う位置に移動し、装着操作時に前記接続端子を覆わない位置に移動するようにしてあること
を特徴とするプロジェクタ。
【請求項６】
前記回転手段は、
前記ウォームと同軸に連結され、前記ウォームと一体で回転する歯車と、
前記ランプユニットに形成され、前記ランプユニットの着脱操作に応じて前記歯車と噛合し、前記歯車を回転させて前記ウォームを回転させるラック歯と
を備える請求項５に記載のプロジェクタ。
【請求項７】
接続端子、該接続端子を保護する保護手段及び光学的に映像を表示する手段を有するプロジェクタ本体に着脱可能に装着され、前記接続端子に電気的に接続されるランプユニットにおいて、
前記プロジェクタ本体への装着操作に応じて前記保護手段による前記接続端子の保護を解除させ、離脱操作に応じて前記接続端子を保護させるための保護設定解除手段を備えることを特徴とするランプユニット。
【請求項８】
前記保護手段は、前記接続端子の保護及び保護の解除動作を行うための歯車機構を有しており、
前記保護設定解除手段は、前記歯車機構の歯車に噛合し、着脱操作に応じて前記歯車機構を動作させるラック歯を備える請求項７に記載のランプユニット。
【発明の詳細な説明】
【技術分野】
【０００１】
本発明は、着脱可能な電気ユニットを電気機器に装着する場合において、電気ユニットの着脱動作に応じて電気機器に備えられた接続端子を覆う蓋体を有し、接続端子が外部に露出しないようにして、感電を防止できる電気機器及び電気ユニットに関し、また、感電を防止できるプロジェクタ及びランプユニットに関する。
【背景技術】
【０００２】
光源からの光を光変調して映像を形成し、スクリーン上に投影するプロジェクタが実用化されている。プロジェクタにおいては、光源であるキセノンランプ又は水銀ランプ等のランプを有するランプユニットがプロジェクタ本体から着脱可能にしてあり、ランプの交換に際しては、ランプユニットをプロジェクタ本体から離脱してランプを交換するようにしてあることが多い。また、プロジェクタ以外に、例えば、露光装置又は内視鏡等においても同様に着脱可能なランプユニットを備えているものがある。
【０００３】
ランプユニットに必要な電力はプロジェクタ本体から供給されており、ランプを交換するために、プロジェクタ本体からランプユニットを離脱するときに、プロジェクタの電源を切り忘れて、ランプユニットの電気導通部分に触れた場合には、感電の虞があるという問題があった。
【０００４】
特許文献１においては、ランプユニットによりランプを交換するプロジェクタにおいて、プロジェクタにランプユニットと電気的に接続するためのソケットと、ソケットを覆う位置及び覆わない位置の間を回動するソケットカバーと、ソケットカバーをソケットを覆う位置へ付勢するバネとを備え、ランプユニットを装着した場合にソケットカバーをソケットを覆わない位置へ回動させる構成としたプロジェクタが提案されている。この構成により、ランプユニットの離脱後にはソケットをソケットカバーが覆うため、ソケットに直接触れることができず、感電を防止することができる。
【特許文献１】特開２００４−２６４３８７号公報
【発明の開示】
【発明が解決しようとする課題】
【０００５】
しかしながら、特許文献１に記載のプロジェクタは、ソケットカバーをバネで付勢してソケットを覆うのみであるため、ランプユニットの離脱後にソケットカバーをバネの付勢力に抗して動かすことが可能であり、ソケットカバーを動かしてソケットを露出させた場合には、ソケットに触れることができるため、感電の虞がある。このため、ランプユニットの離脱後にソケットを覆うソケットカバーを動かすことができない構造とすることが望ましい。
【０００６】
本発明は、斯かる事情に鑑みてなされたものであって、その目的とするところは、電気ユニットと接続するための接続端子を覆う蓋体を備え、蓋体をウォームホイールの回転に応じて移動可能とし、ウォームホイールと噛合するウォームを電気ユニットの着脱操作に応じて回転させ、蓋体を接続端子を覆う位置及び覆わない位置の間を移動させる構成とすることで、電気ユニットの離脱後にウォームを回転させない限り、蓋体を移動させて接続端子に触れることができないようにし、感電を防止できる電気機器を提供することにある。
【０００７】
また本発明の他の目的とするところは、ウォームと同軸に歯車を連結し、電気ユニットに歯車と噛合するラック歯を備えておき、電気ユニットの着脱操作時にラック歯が歯車と噛合して歯車を回転させ、ウォームを回転させる構成とすることで、電気ユニットの着脱操作時以外にはウォームが回転せず、蓋体が移動しないようにし、感電を防止できる電気機器を提供することにある。
【０００８】
また本発明の他の目的とするところは、電気機器の本体の接続端子が外部に露出しないように保護されている場合に、装着操作に応じて保護を解除し、離脱操作に応じて保護を行うようにする手段を備えることで、接続端子が外部に露出することを防止し、感電を防止できる電気ユニットを提供することにある。
【０００９】
また本発明の他の目的とするところは、接続端子の保護及び保護の解除動作を行う歯車機構の歯車に噛合するラック歯を備え、着脱操作に応じてラック歯が歯車機構を動作させて、接続端子の保護及び保護の解除を簡単に行うことができる電気ユニットを提供することにある。
【００１０】
また本発明の他の目的とするところは、ランプユニットと接続するための接続端子を覆う蓋体を備え、蓋体をウォームホイールの回転に応じて移動可能とし、ウォームホイールと噛合するウォームをランプユニットの着脱操作に応じて回転させ、蓋体を接続端子を覆う位置及び覆わない位置の間を移動させる構成とすることで、ランプユニットの離脱後に蓋体を移動させて接続端子に触れることができないようにし、感電を防止できるプロジェクタを提供することにある。
【００１１】
また本発明の他の目的とするところは、ウォームと同軸に歯車を連結し、ランプユニットに歯車と噛合するラック歯を備えておき、ランプユニットの着脱操作時にラック歯が歯車と噛合して歯車を回転させ、ウォームを回転させる構成とすることで、ランプユニットの着脱操作時以外にはウォームが回転せず、蓋体が移動しないようにし、感電を防止できるプロジェクタを提供することにある。
【００１２】
また本発明の他の目的とするところは、プロジェクタ本体の接続端子が外部に露出しないように保護されている場合に、装着操作に応じて保護を解除し、離脱操作に応じて保護を行うようにする手段を備えることで、接続端子が外部に露出することを防止し、感電を防止できるランプユニットを提供することにある。
【００１３】
また本発明の他の目的とするところは、プロジェクタ本体の接続端子の保護及び保護の解除動作を行う歯車機構の歯車に噛合するラック歯を備え、着脱操作に応じてラック歯が歯車機構を動作させて、接続端子の保護及び保護の解除を簡単に行うことができるランプユニットを提供することにある。
【課題を解決するための手段】
【００１４】
本発明に係る電気機器は、着脱可能な電気ユニットと、該電気ユニットを電気的に接続するための接続端子と、前記電気ユニットを離脱させた場合に前記接続端子を覆うための蓋体とを備える電気機器において、ウォーム及び該ウォームと噛合するウォームホイールと、前記電気ユニットの着脱操作に応じて前記ウォームを回転させる回転手段とを備え、前記蓋体は、前記ウォームホイールの回転に応じて移動可能であり、前記電気ユニットの離脱操作時に前記接続端子を覆う位置に移動し、装着操作時に前記接続端子を覆わない位置に移動するようにしてあることを特徴とする。
【００１５】
本発明においては、ウォームホイールの回転に応じて接続端子を覆う位置及び覆わない位置の間を移動可能にしてある蓋体及びウォームホールに噛合するウォームを備え、電気ユニットの着脱動作時のみウォームが回転する構成にする。ウォームの回転によりウォームホイールを回転させることはできるが、ウォームホイールの回転によりウォームを回転させることはできないため、電気ユニットを離脱し、蓋体が接続端子を覆った状態では、ウォームを回転させない限り蓋体を動かすことができず、接続端子に触れることができなくなる。
【００１６】
また、本発明に係る電気機器は、前記回転手段が、前記ウォームと同軸に連結され、前記ウォームと一体で回転する歯車と、前記電気ユニットに形成され、前記電気ユニットの着脱操作に応じて前記歯車と噛合し、前記歯車を回転させて前記ウォームを回転させるラック歯とを備えることを特徴とする。
【００１７】
本発明においては、ウォームと同軸に一体回転する歯車と、電気ユニットに形成されたラック歯とを噛合させてウォームを回転させる構成とし、電気ユニットの着脱操作に応じてウォームを回転させる機構を簡単に実現する。電気ユニットを離脱した状態では歯車を回転させることができなくなり、蓋体を移動させることができず、接続端子に直接触れることができない。
【００１８】
また、本発明に係る電気ユニットは、接続端子及び該接続端子を保護する保護手段を有する電気機器本体に着脱可能に装着され、前記接続端子に電気的に接続される電気ユニットにおいて、前記電気機器本体への装着操作に応じて前記保護手段による前記接続端子の保護を解除させ、離脱操作に応じて前記接続端子を保護させるための保護設定解除手段を備えることを特徴とする。
【００１９】
本発明においては、電気機器の本体への装着操作に応じて接続端子の保護を解除し、離脱操作に応じて保護を行うようにする手段を電気ユニットに備える。これにより、電気ユニットを離脱した状態では、電気機器の本体側で接続端子の保護を解除できず、使用者が接続端子に直接触れることができない。
【００２０】
また、本発明に係る電気ユニットは、前記保護手段が、前記接続端子の保護及び保護の解除動作を行うための歯車機構を有しており、前記保護設定解除手段は、前記歯車機構の歯車に噛合し、着脱操作に応じて前記歯車機構を動作させるラック歯を備えることを特徴とする。
【００２１】
本発明においては、接続端子の保護及び保護の解除動作を行うために電気機器の本体に備えられた歯車機構の歯車に噛合するラック歯を電気ユニットに備えて、着脱操作に応じてラック歯が歯車機構を動作させる構成にする。これにより、簡単な構成で接続端子の保護及び保護の解除動作を行うことができる。
【００２２】
また、本発明に係るプロジェクタは、着脱可能なランプユニットと、該ランプユニットを電気的に接続するための接続端子と、前記ランプユニットを離脱させた場合に前記接続端子を覆うための蓋体とを備えるプロジェクタにおいて、ウォーム及び該ウォームと噛合するウォームホイールと、前記ランプユニットの着脱操作に応じて前記ウォームを回転させる回転手段とを備え、前記蓋体は、前記ウォームホイールの回転に応じて移動可能であり、前記ランプユニットの離脱操作時に前記接続端子を覆う位置に移動し、装着操作時に前記接続端子を覆わない位置に移動するようにしてあることを特徴とする。
【００２３】
本発明においては、ウォームホイールの回転に応じて接続端子を覆う位置及び覆わない位置の間を移動可能にしてある蓋体及びウォームホールに噛合するウォームを備え、ランプユニットの着脱動作時のみウォームが回転する構成にする。これにより、ランプユニットを離脱し、蓋体が接続端子を覆った状態では、ウォームを回転させない限り蓋体を動かすことができず、接続端子に触れることができなくなる。
【００２４】
また、本発明に係るプロジェクタは、前記回転手段が、前記ウォームと同軸に連結され、前記ウォームと一体で回転する歯車と、前記ランプユニットに形成され、前記ランプユニットの着脱操作に応じて前記歯車と噛合し、前記歯車を回転させて前記ウォームを回転させるラック歯とを備えることを特徴とする。
【００２５】
本発明においては、ウォームと同軸に一体回転する歯車と、ランプユニットに形成されたラック歯とを噛合させてウォームを回転させる構成とし、ランプユニットの着脱操作に応じてウォームを回転させる機構を簡単に実現する。ランプユニットを離脱した状態では歯車を回転させることができなくなり、蓋体を移動させることができず、接続端子に直接触れることができない。
【００２６】
また、本発明に係るランプユニットは、接続端子、該接続端子を保護する保護手段及び光学的に映像を表示する手段を有するプロジェクタ本体に着脱可能に装着され、前記接続端子に電気的に接続されるランプユニットにおいて、前記プロジェクタ本体への装着操作に応じて前記保護手段による前記接続端子の保護を解除させ、離脱操作に応じて前記接続端子を保護させるための保護設定解除手段を備えることを特徴とする。
【００２７】
本発明においては、プロジェクタ本体への装着操作に応じて接続端子の保護を解除し、離脱操作に応じて保護を行うようにする手段をランプユニットに備える。これにより、ランプユニットを離脱した状態では、プロジェクタ本体側で接続端子の保護を解除できず、使用者が接続端子に直接触れることができない。
【００２８】
また、本発明に係るランプユニットは、前記保護手段が、前記接続端子の保護及び保護の解除動作を行うための歯車機構を有しており、前記保護設定解除手段は、前記歯車機構の歯車に噛合し、着脱操作に応じて前記歯車機構を動作させるラック歯を備えることを特徴とする。
【００２９】
本発明においては、接続端子の保護及び保護の解除動作を行うためにプロジェクタ本体に備えられた歯車機構の歯車に噛合するラック歯をランプユニットに備えて、着脱操作に応じてラック歯が歯車機構を動作させる構成にする。これにより、簡単な構成で接続端子の保護及び保護の解除動作を行うことができる。
【発明の効果】
【００３０】
本発明による場合は、電気ユニットと接続するための接続端子を覆う蓋体を備え、蓋体をウォームホイールの回転に応じて移動可能とし、ウォームホイールと噛合するウォームを電気ユニットの着脱操作に応じて回転させ、蓋体を接続端子を覆う位置及び覆わない位置の間を移動させる構成とすることで、電気ユニットの離脱後にウォームを回転させない限り、蓋体を移動させることができなくなるため、使用者が接続端子に直接触れることができず、感電を防止することができる。
【００３１】
また、本発明による場合は、ウォームと同軸に歯車を連結し、電気ユニットに歯車と噛合するラック歯を備えておき、電気ユニットの着脱操作時にラック歯が歯車と噛合して歯車を回転させ、ウォームを回転させる構成とすることで、電気ユニットの着脱操作時以外にはウォームが回転しないようにすることができ、電気ユニットを離脱した状態では蓋体を移動させることができないため、使用者が接続端子に直接触れることができず、感電を防止することができる。
【００３２】
また、本発明による場合は、電気機器の本体の接続端子が外部に露出しないように保護されている場合に、装着操作に応じて保護を解除し、離脱操作に応じて保護を行うようにする手段を電気ユニットに備えることで、電気ユニットを離脱した状態では接続端子の保護を解除することができないため、接続端子が外部に露出することを防止でき、感電を防止することができる。
【００３３】
また、本発明による場合は、接続端子の保護及び保護の解除動作を行う歯車機構の歯車に噛合するラック歯を電気ユニット備え、着脱操作に応じてラック歯が歯車機構を動作させて、接続端子の保護及び保護の解除を行う構成とすることで、電気ユニットに複雑な機構を備えずに、簡単な構成で接続端子の保護及び保護の解除動作を行うことができるため、電気ユニットの大型化及びコストの増加を抑えることができる。
【００３４】
また、本発明による場合は、ランプユニットと接続するための接続端子を覆う蓋体を備え、蓋体をウォームホイールの回転に応じて移動可能とし、ウォームホイールと噛合するウォームをランプユニットの着脱操作に応じて回転させ、蓋体を接続端子を覆う位置及び覆わない位置の間を移動させる構成とすることで、ランプユニットの離脱後にウォームを回転させない限り、蓋体を移動させることができなくなるため、使用者が接続端子に直接触れることができず、感電を防止することができる。
【００３５】
また、本発明による場合は、ウォームと同軸に歯車を連結し、ランプユニットに歯車と噛合するラック歯を備えておき、ランプユニットの着脱操作時にラック歯が歯車と噛合して歯車を回転させ、ウォームを回転させる構成とすることで、ランプユニットの着脱操作時以外にはウォームが回転しないようにすることができ、ランプユニットを離脱した状態では蓋体を移動させることができないため、使用者が接続端子に直接触れることができず、感電を防止することができる。
【００３６】
また、本発明による場合は、プロジェクタ本体の接続端子が外部に露出しないように保護されている場合に、装着操作に応じて保護を解除し、離脱操作に応じて保護を行うようにする手段をランプユニットに備えることで、ランプユニットを離脱した状態では接続端子の保護を解除することができないため、接続端子が外部に露出することを防止でき、感電を防止することができる。
【００３７】
また、本発明による場合は、接続端子の保護及び保護の解除動作を行う歯車機構の歯車に噛合するラック歯をランプユニットに備え、着脱操作に応じてラック歯が歯車機構を動作させて、接続端子の保護及び保護の解除を行う構成とすることで、ランプユニットに複雑な機構を備えずに、簡単な構成で接続端子の保護及び保護の解除動作を行うことができるため、ランプユニットの大型化及びコストの増加を抑えることができる。
【発明を実施するための最良の形態】
【００３８】
以下、本発明をその実施の形態を示す図面に基づき具体的に説明する。本実施例においては電気機器としてプロジェクタを、電気ユニットとしてプロジェクタに装着されるランプユニットを例に説明を行う。図１は、本発明に係るプロジェクタの構成を示すブロック図である。なお、図１においては、ランプユニットがプロジェクタに装着された状態を図示しており、また、電気の流れを実線の矢印で示し、光路を一点鎖線の矢印で示している。
【００３９】
図１において、１は光源からの光を光変調する光変調部６及びスクリーン１００へ映像を投射する投射光学系７等を備えるプロジェクタの本体部であり、本体部１にランプユニット５０が着脱可能に装着される。ランプユニット５０には、プロジェクタの光源となるキセノンランプ又は水銀ランプ等のランプ５２が備えられている。また、ランプユニット５０には、プロジェクタの本体部１と電気的に接続するための接続端子５１が備えてあり、本体部１に備えられた接続端子３に接続するようにしてある。
【００４０】
ランプユニット５０のランプ５２からの光の出射先にはカラーホイール４が配設してあり、ランプ５２から出射した光はカラーホイール４により、光の３原色に分離される。カラーホイール４は、赤色、緑色及び青色の光をそれぞれ透過する扇状のカラーフィルタを３つ等配した円盤であり、中心にはモータ５の回転軸が接続されている。モータ５によりカラーホイール４を回転させることで、ランプ５２からの光を、一定の期間に赤色、緑色及び青色の順番に表示するようにして、光の３原色に分離することができる。
【００４１】
カラーホイール４により３原色に分離された光は、光変調部６へ入射する。光変調部６は、ＤＭＤ（Ｄｉｇｉｔａｌ  Ｍｉｃｒｏｍｉｒｒｏｒ  Ｄｅｖｉｃｅ）又は液晶パネル等の光変調素子と、カラーホイール４からの光を光変調素子へ導くための光路を形成するレンズ、プリズム及び鏡等の光学部材とを備えている。例えば光変調素子としてＤＭＤを備えた場合には、ＤＭＤはＣＭＯＳ半導体上に数十万〜数百万個の微小な可動鏡を敷き詰めたものであり、可動鏡を略＋１０度又は略−１０度の２種類の傾斜状態の間をスイッチングさせ、照射された光を２方向へ反射することにより、光をディジタル変調することができる。
【００４２】
光変調部６にて変調された光は、投射光学系７へ入射する。投射光学系７は、投射用のレンズと、投射用のレンズへ光を導くための光路を形成するレンズ、プリズム及び鏡等の光学部材とを備えている。投射光学系７へ入射した光は、投射用のレンズに導かれ、投射用のレンズにより拡大されてスクリーン１００へ投射される。
【００４３】
また、プロジェクタの本体部１は、ランプユニット５０のランプ５２、カラーホイール４を回転させるモータ５及び光変調部６に備えられた光変調素子等を駆動する電気を供給するための電源回路２を備えている。電源回路２には電源プラグ２ａを介して商用電源から交流の電気が供給されており、交流の電気を直流の電気に変換して接続端子３、モータ５及び光変調部６のＤＭＤ等に与えている。ランプユニット５０のランプ５２は、本体部１の接続端子３及び接続端子３に接続されたランプユニット５０の接続端子５１を介して電源回路２から電気が供給されている。
【００４４】
図２は、本発明に係るプロジェクタの一部透視斜視図であり、プロジェクタにランプユニットが装着された状態を示している。図３は、本発明に係るプロジェクタの一部透視分解斜視図である。図４は、本発明に係るプロジェクタの一部を断面で示した側面図である。図５は、図４の反対側面の一部を断面で示した側面図である。
【００４５】
プロジェクタの本体部１は略直方体形状の筐体１０を有し、筐体１０内に電源回路２、カラーホイール４、モータ５、光学変調部６及び投射光学系７を備えている。筐体１０の一側面には矩形状の凹部が形成してあり、この凹部に把持される態様で箱状の装着部１１が配設してある。装着部１１には、ランプユニット５０を電気的に接続するための接続端子３が備えてあり、接続端子３は円柱状で、装着部１１の上面から装着部１１の内部へ向けて突設してある。また、筐体１０及び装着部１１は底面を有しておらず、更に、筐体１０は４つの側面の内の１つの面を有していない。筐体１０が有さない底面及び一側面は、ランプユニット５０が有しており、本体部１の底面側からランプユニット５０を装着することで、筐体１０は密閉されるようにしてある。
【００４６】
更に、装着部１１の筐体１０と反対側の側面には、複数のギヤ及び接続端子３を覆う蓋体１４を備えた直方体の箱状のギヤ部１２が並設してある。蓋体１４は、断面略Ｌ字型に湾曲した板であり、一端側には長方形状の切り欠き１４ａが形成してある。切り欠き１４ａが形成してある側の端辺には支軸１４ｂを固定してあり、支軸１４ｂの略中央部にはウォームホイール１５が接続してある。ウォームホイール１５は円形の歯車体の半分が切り欠き１４ａ内にあり、ウォームホイール１５及び蓋体１４は一体で回動するように支軸１４ｂの両端で箱状のギヤ部１２の内側面に支持されている。
【００４７】
装着部１１とギヤ部１２を隔てる壁面には、略長方形状の開口１３が形成してあり、装着部１１にランプユニット５０が装着されていない場合には、蓋体１４の支軸１４ｂが固定されている側の反対端が、開口１３を通してギヤ部１２から装着部１１へ突出できるようにしてある。装着部１１へ突出した蓋体１４により、本体部１の接続端子３が覆われ、外部から直接触れることができなくなる。
【００４８】
蓋体１４及びウォームホイール１５を固定する支軸１４ｂと略垂直な方向には、ウォームホイール１５と噛合するウォーム１６が配設してある。ウォーム１６は支軸１６ａによりギヤ部１２の内側面に回転可能に支持されており、支軸１６ａにはウォーム１６と一体で回転するように歯車１７が連結してある。これにより、歯車１７を回転させることでウォーム１６が一体に回転し、ウォーム１６と噛合するウォームホイール１５が回動し、ウォームホイール１５と一体に蓋体１４が回動して、開口１３から装着部１１へ蓋体１４を出入動作させることができる。
【００４９】
ランプユニット５０は、ランプ５２を収容する略直方体の箱状のランプ収容部５４と、ランプ収容部５４の上面から突設された接続端子５１とを備えている。ランプ収容部５４が本体部１の装着部１１に収納され、本体部１の接続端子３にランプユニット５０の接続端子５１が接続されて、ランプユニット５０はプロジェクタの本体部１に装着される。また、ランプ収容部５４の一側面には、ランプユニット５０を本体部１に装着した場合に、本体部１の筐体１０の底面及び一側面をなす底板５６及び側板５５が固定されている。底板５６は略長方形状で、ランプ収容部５４の底面と同一平面で一体となるように固定してあり、底板５６のランプ収容部５４が固定してある辺と直交する辺に側板５５が固定してある。ランプ収容部５４及び側板５５は、側板５５に直交するように配された連結板５８により連結されている。また、底板５６のランプ収容部５４が固定してある辺と対向する辺及び側板５５の連結板５８が固定してある辺と対向する辺には、支持板５９が固定してある。連結板５８及び支持板５９によりランプ収容部５４、底板５６及び側板５５は堅固に固定してある。
【００５０】
連結板５８及び支持板５９は、プロジェクタの本体部１にランプユニット５０を装着した場合、本体部１の筐体１０の内側に配される。このため、装着部１１と筐体１０の内部とを仕切る壁部分には長方形状のスリット１９が形成してあり、連結板５８がスリット１９を通してランプ収容部５４に連結でき、ランプ収容部５４を装着部１１内に挿入して装着することができるようにしてある。
【００５１】
ランプ収容部５４の底板５６及び側板５５が固定してある側面の反対面には、連結板５７を介して、長い板状の柱部５３が連結してある。連結板５７は、ランプ収容部５４の底面及び底板５６と同平面となるように、ランプ収容部５４の側面に垂直に突設してあり、柱部５３は、ランプ収容部５４の上面に突設された接続端子５１と同方向に、連結板５７から立設してある。柱部５３の側面には、本体部１の歯車１７と噛合するラック歯５３ａが形成してある。
【００５２】
また、本体部１のギヤ部１２の底面には、ランプユニット５０を装着する場合に、ランプユニット５０の柱部５３をギヤ部１２内に挿入するための、挿入口１２ａが開口してある。挿入口１２ａから挿入されたランプユニット５０の柱部５３のラック歯５３ａが、ギヤ部１２内に配設された歯車１７と噛合して、ランプユニット５０の装着操作に伴って歯車１７を回転させるようにしてある。
【００５３】
以上の構成のプロジェクタにおいて、本体部１にランプユニット５０が装着されていない場合には、ギヤ部１２内の蓋体１４が開口１３から装着部１１へ突出し、接続端子３を覆って、使用者が直接接続端子に触れることを防止する。この状態で、使用者が無理に蓋体１４を回動させようとした場合、蓋体１４と一体に連結してあるウォームホイール１５は、ウォーム１６が回転しない限り、回転することはないため、蓋体１４を回動させることができない。
【００５４】
ランプユニット５０を本体部１に装着する場合は、ランプユニット５０の柱部５３を本体部１のギヤ部１２の底面に形成された挿入口１２ａに挿入し、ランプ収容部５４を装着部１１の底から挿入する。このとき、柱部５３のラック歯５３ａ及びギヤ部１２の歯車１７が噛合し、挿入操作に伴って歯車１７が回転する。歯車１７の回転によりウォーム１６が一体回転し、ウォーム１６と噛合するウォームホイール１５が回転する。ウォームホイール１５の回転により蓋体１４が回動して、開口１３から突出していた部分がギヤ部１２内に収まるため、本体部１の接続端子３及びランプユニット５０の接続端子５１を接続することができるようになる。
【００５５】
ランプユニット５０を本体部１から離脱する場合は、ランプユニット５０の柱部５３が、装着時とは逆方向に歯車１７を回転させるため、この回転がウォーム１６及びウォームホイール１５を介して蓋体１４へ伝わり、蓋体１４が回動して開口１３から本体部１の接続端子３を覆うように突出する。
【００５６】
本体部１の接続端子３を覆う蓋体１４を、ウォーム１６及びウォームホイール１５を用いて回動させる構成とすることで、ランプユニット５０の着脱時のみに蓋体１４を回動させ、それ以外の時には蓋体１４を回動不可能な状態とすることができるため、使用者がプロジェクタの本体部１の接続端子３に触れることができず、感電する恐れがない。
【００５７】
なお、本実施の形態においては、ウォーム１６を歯車１７及びランプユニット５０に備えたラック歯５３ａにより回転させる構成としたが、これに限るものではなく、例えば、ラック歯の形成された部材をプロジェクタの本体部１に備えて、この部材をランプユニットの着脱に伴って動かす構成であってもよく、また、ラック歯及び歯車を用いるのではなく、例えばベルト及びプーリを用いるなど他の構成であってもよい。また、プロジェクタ及びランプユニットを例に構成を示したが、これに限るものではなく、他の電気機器であっても、着脱可能なユニットを離脱した場合に、本体側の接続端子が外部に露出する虞のあるものについては、同様の構成を適用することができる。
【図面の簡単な説明】
【００５８】
【図１】本発明に係るプロジェクタの構成を示すブロック図である。
【図２】本発明に係るプロジェクタの一部透視斜視図である。
【図３】本発明に係るプロジェクタの一部透視分解斜視図である。
【図４】本発明に係るプロジェクタの一部を断面で示した側面図である。
【図５】図４の反対側面の一部を断面で示した側面図である。
【符号の説明】
【００５９】
１  プロジェクタ
２  電源回路
３  接続端子
１０  筐体
１４  蓋体
１５  ウォームホイール
１６  ウォーム
１７  歯車
５０  ランプユニット
５１  接続端子
５２  ランプ
５３ａ  ラック歯
【図１】
2006284848.tif 000003
【図２】
2006284848.tif 000004
【図３】
2006284848.tif 000005
【図４】
2006284848.tif 000006
【図５】
2006284848.tif 000007